(57)【特許請求の範囲】
【請求項１】
筺体内に保持部材を介してカメラを支持するカメラの支持構造であって、
前記保持部材を一方のハウジングと他方のハウジングとの二つのハウジングによって形成し、
前記二つのハウジングのうちのいずれかのハウジングにカメラを固定し、
前記一方のハウジングと前記他方のハウジングとに、カメラの光軸を中心として互いに円周方向に０°と９０°回動させた２位置で前記二つのハウジングを着脱させる着脱手段を設け、
前記着脱手段は、前記一方のハウジングに設けられ複数の係合部からなる一組の第１の係合手段と、前記他方のハウジングに設けられ前記第１の係合手段に選択的に係合される複数の係合部からなる二組の第２および第３の係合手段とによって構成し、
前記第１の係合手段の複数の係合部のうちの一つを他の係合部と異なる形状に形成し、
前記第２および第３の係合手段のそれぞれの複数の係合部のうちの一つを他の係合部と異なる形状に形成したことを特徴とするカメラの支持構造。
【請求項２】
前記第２および第３の係合手段のそれぞれの前記一つの係合部に互いを識別する識別手段を設けたことを特徴とする請求項１記載のカメラの支持構造。
【請求項３】
前記カメラをプリント基板を介して前記ハウジングに取り付け、このハウジングに、前記プリント基板に搭載される予め決められた部品の位置を指示し、プリント基板をハウジングの所定の位置に取り付ける目印を設けたことを特徴とする請求項１記載のカメラの支持構造。
【請求項４】
住宅用インターフォンに内蔵される前記カメラは、視野角が鉛直方向に対して水平方向が広くなるように、
かつ鉄道事業用インターフォンに内蔵される前記カメラは、視野角が水平方向に対して鉛直方向が広くなるように、前記保持部材に保持されることを特徴とする請求項１記載のカメラの支持構造。
【発明の詳細な説明】
【技術分野】
【０００１】
本発明は、インターホンに内蔵されるカメラの支持構造に関するものである。
【背景技術】
【０００２】
この種のカメラの支持構造としては、特許文献１に開示されたものがある。ここに開示されたものは、カメラが取り付けられるフロントハウジングと、カメラの撮影方向を可変操作できる操作部を有しフロントハンジングとともに保持部材を形成するリアハウジングと、保持部材を揺動自在に支持するフロントケースおよびリアケースとを備え、リアケースから露呈された操作部を操作することによりカメラの撮影方向を調整できるように構成されている。
【先行技術文献】
【特許文献】
【０００３】
【特許文献１】特開２００９−３８４５４号公報
【発明の概要】
【発明が解決しようとする課題】
【０００４】
ところで、この種のインターホンに内蔵されるカメラでは、用途に応じて、視野角を鉛直方向に対して水平方向を広くするようにしたり、水平方向に対して鉛直方向を広くするというように使い分けするようなことが行われている。例えば、住宅用インターフォンの場合は、必ずしもインターフォンの正面に人がいるとは限らないことを想定して、カメラの視野角は鉛直方向に対して水平方向を広くするように選択されている。これに対して、駅構内等に設置される鉄道事業用インターフォンの場合は、子供から大人さらには車椅子の使用者までの不特定多数の人が使うことが予想されるため、使用する人の顔の高さ位置の違いを考慮してカメラの視野角は水平方向に対して鉛直方向を広くするように選択されている。しかしながら、上記したような従来のカメラの支持構造においては、カメラ保持部材がカメラの視野角を選択できるような構造を有していない。このため、住宅用インターフォンとして使用する場合と、鉄道事業用インターフォンとして使用する場合とに対応させようとすると、メーカー側ではカメラ保持部材を二種類用意しなければならなくなり、製造コストも嵩むというだけではなく在庫管理も煩雑になるという問題があった。
【０００５】
本発明は上記した従来の問題に鑑みなされたものであり、その目的は製造コストの低減を図るとともに、在庫管理の業務を軽減することにある。
【課題を解決するための手段】
【０００６】
この目的を達成するために、本発明は、筺体内に保持部材を介してカメラを支持するカメラの支持構造であって、前記保持部材を一方のハウジングと他方のハウジングとの二つのハウジングによって形成し、前記二つのハウジングのうちのいずれかのハウジングにカメラを固定し、前記一方のハウジングと前記他方のハウジングとに、カメラの光軸を中心として互いに円周方向に０°と９０°回動させた２位置で前記二つのハウジングを着脱させる着脱手段を設け、前記着脱手段は、前記一方のハウジングに設けられ複数の係合部からなる一組の第１の係合手段と、前記他方のハウジングに設けられ前記第１の係合手段に選択的に係合される複数の係合部からなる二組の第２および第３の係合手段とによって構成し、前記第１の係合手段の複数の係合部のうちの一つを他の係合部と異なる形状に形成し、前記第２および第３の係合手段のそれぞれの複数の係合部のうちの一つを他の係合部と異なる形状に形成したものである。
【０００８】
本発明は、前記発明のいずれか一つの発明において、前記第２および第３の係合手段のそれぞれの前記一つの係合部に互いを識別する識別手段を設けたものである。
【０００９】
本発明は、前記発明のいずれか一つの発明において、前記カメラをプリント基板を介して前記ハウジングに取り付け、このハウジングに、前記プリント基板に搭載される予め決められた部品の位置を指示し、プリント基板をハウジングの所定の位置に取り付ける目印を設けたものである。
【００１０】
本発明は、前記発明のいずれか一つの発明において、住宅用インターフォンに内蔵される前記カメラは、視野角が鉛直方向に対して水平方向が広くなるように、かつ鉄道事業用インターフォンに内蔵される前記カメラは、視野角が水平方向に対して鉛直方向が広くなるように、前記保持部材に保持される。
【発明の効果】
【００１１】
本発明によれば、一つの保持部材で二つの視野角を選択することができるから、従来のように二種類の保持部材を用意する必要がないので、製造コストを低減することができるとともに、在庫管理を軽減することができる。
【００１２】
前記発明のうちの一つの発明によれば、一方のハウジングに対して他方のハンジングの取付位置を間違えることがない。
【００１３】
前記発明のうちの一つの発明によれば、カメラをハウジングに誤りなく取り付けることができる。
【図面の簡単な説明】
【００１４】
【図１】本発明に係るカメラの支持構造を実施したインターフォンの正面図である。
【図２】本発明に係るカメラの支持構造を実施したインターフォンの分解斜視図である。
【図３】図１におけるIII-III 線断面図である。
【図４】本発明に係るカメラの支持構造におけるフロントハウジングを示し、同図（Ａ）は正面図、同図（Ｂ）は側面図、同図（Ｃ）は前面側から視た斜視図、同図（Ｄ）は背面側から視た斜視図である。
【図５】本発明に係るカメラの支持構造におけるリアハウジングを示し、同図（Ａ）は正面図、同図（Ｂ）は側面図、同図（Ｃ）は前面側から視た斜視図、同図（Ｄ）は背面側から視た斜視図である。
【図６】同図（Ａ）は本発明に係るカメラの支持構造におけるフロントハウジングの背面図、同図（Ｂ）はフロントハウジングにプリント基板を介してカメラを取り付けた状態の背面図である。
【図７】同図（Ａ）は本発明に係るカメラの支持構造におけるリアハウジングの正面図、同図（Ｂ）は住宅用のドアフォンとして使用する場合のリアハウジングに取り付けるフロントハウジングの係合突起の位置を示した正面図、同図（Ｃ）は鉄道用のインターフォンとして使用する場合のリアハウジングに取り付けるフロントハウジングの係合突起の位置を示した正面図である。
【図８】本発明に係るカメラの支持構造における保持部材の側面図である。
【図９】本発明に係るカメラの支持構造において、住宅用のドアフォンとして使用する場合のカメラの視野角を説明するための模式図である。
【図１０】同図（Ａ）は本発明に係るカメラの支持構造において、鉄道用のインターフォンとして使用する場合のカメラの視野角を説明するための模式図、同図（Ｂ）は鉄道用のインターフォンとして使用したカメラで撮影した被写体のデータを説明するための模式図である。
【発明を実施するための形態】
【００１５】
以下、本発明の実施の形態を図１ないし図１０に基づいて説明する。
【００１６】
図２に全体を符号１で示すインターフォンは、フロントケース２と、このフロントケース２の後部側（矢印Ｂ方向）の開口を覆うリアケース３とによって筺体が形成され、これら両ケース２，３に挟持されて揺動自在に支持されるカメラユニット４が備えられている。フロントケース２の前板５には、透明板６を取り付けるための段部７が設けられており、この段部７の中央部には透孔８が設けられている。９は前板５に設けられた凹部１０に取り付けられる押し釦であって、圧縮コイルばね１１の弾発力によって凹部１０から突出する方向に付勢されている。
【００１７】
透孔８の周縁部の裏面側には、複数個のリブ１３が一体に突設されており、これらリブ１３には、図３に示すように後述するフロントハウジング２６の半球面部３０に対接する断面が湾曲状に形成された対接部１３ａが設けられている。
【００１８】
リアケース３の裏面側の四隅には、図２および図５に示すようにねじ挿通孔が設けられた４本のスタッド１５が一体に突設されている。１６はリアケース３の内側に膨出するように形成された膨出部であって、傾斜した膨出面の上端側には、後述するリアハウジング２７の半球面部５１が対向する凹面鏡状に形成された対向部１７が設けられており、下端側にはＴ字状に形成された案内溝１８が設けられている。
【００１９】
対向部１７には、リアハウジング２７の半球面部５１に対接する断面が湾曲状に形成されたリブ１９と、後述する係合突起５４が選択的に係合する四個の係合凹部２０が設けられている。膨出部１６の上方には、別の膨出部２１が設けられており、この膨出部２１にはリブ１９とともにリアハウジング２７の半球面部５１に対接する湾曲状に形成された対接部２２が設けられている。
【００２０】
カメラユニット４は、図２に示すように保持部材２５を構成するフロントハウジング２６およびリアハウジング２７と、これら両ハウジング２６，２７内に収容されて保持されるカメラ２８とから概略構成されている。
【００２１】
フロントハウジング２６は、図４に示すように前部側（矢印Ａ方向）にすり鉢状に形成された半球面部３０と、この半球面部３０の後部側（矢印Ｂ方向）の開口端に設けられた鍔３１とによって形成されている。半球面部３０の前部側（矢印Ａ方向）には透孔３２が設けられている。鍔３１には、二組の第２および第３の係合手段３４，３８が設けられている。
【００２２】
すなわち、鍔３１には、図７（Ｂ）に示すように後述するようにフロントハウジング２６にカメラ２８が取り付けられたときのカメラ２８の光軸２９を中心とする円周方向に等角度（α＝１２０°）おいた三個の係入孔３３Ａ，３３Ｂ，３３Ｃが設けられている。これら係入孔３３Ａ，３３Ｂ，３３Ｃの端縁のそれぞれには、着脱手段としての第２の係合手段３４を構成する複数の係合部としての係合突起３４Ａ，３４Ｂ，３４Ｃが前部側（矢印Ａ方向）に向かって突設されている。このうち、係合突起３４Ａの幅Ｌ１は、図４（Ａ）に示すように他の係合突起３４Ｂ，３４Ｃの幅Ｌ２よりも大きく形成され、形状が異なっているとともに、この係合突起３４Ａには、平面視三日月形に形成され住宅用インターフォンを意味する識別部３５が設けられている。
【００２３】
また、鍔３１には、図７（Ｂ）に示すように光軸２９を中心とする円周方向に等角度（α＝１２０°）おいた三個の係入孔３７Ａ，３７Ｂ，３７Ｃが設けられている。これら係入孔３７Ａ，３７Ｂ，３７Ｃの端縁のそれぞれには、着脱手段としての第３の係合手段３８を構成する複数の係合部としての係合突起３８Ａ，３８Ｂ，３８Ｃが前部側（矢印Ａ方向）に向かって突設されている。このうち、係合突起３８Ａの幅Ｌ１は、図４（Ａ）に示すように他の係合突起３８Ｂ，３８Ｃの幅Ｌ２よりも大きく形成され、形状が異なっているとともに、この係合突起３８Ａには、上記した係合突起３４Ａに設けた識別部３５に対して外観的に識別可能な平面視台形に形成され鉄道事業用インターフォンを意味する識別部３９が設けられている。
【００２４】
これら識別部３５，３９は、後述するように第２の係合手段３４（３４Ａ，３４Ｂ，３４Ｃ）がリアハウジング２７の着脱手段としての弾性係合片６０Ａ，６０Ｂ，６０Ｃと係合させることにより、インターフォン１が住宅用のドアフォンとして使用され、第３の係合手段３８（３８Ａ，３８Ｂ，３８Ｃ）がリアハウジング２７の弾性係合片６０Ａ，６０Ｂ，６０Ｃと係合させることにより、鉄道事業用のインターフォンとして使用されるというような目印となるものである。これら第２の係合手段３４（３４Ａ，３４Ｂ，３４Ｃ）のそれぞれと第３の係合手段３８（３８Ａ，３８Ｂ，３８Ｃ）のそれぞれとは、図７（Ｂ）に示すように互いに円周方向に角度β（９０°）だけ位相がずれている。
【００２５】
また、フロントハウジング２６の半球面部３０の裏面には、図６（Ａ）に示すように同心円状のリング部４０，４１が突設されており、小径のリング部４０は透孔３２と同じ径に形成されている。大径のリング部４１の端面には、矢印Ｂ方向へ突設された先端に位置決め用突子４２ａを有する支柱４２と支柱４３とが円周方向に等角度（９０°）おいて交互に配置されている。また、フロントハウジング２６の鍔３１の裏面には、支柱４２，４３に支持される後述するプリント基板の取付位置を決定する三角形を呈した目印４５が設けられている。
【００２６】
カメラ２８の基端部は、図２に示すようにプリント配線板４７に実装されており、カメラ２８はこのプリント配線板４７を介してフロントハウジング２６に取り付けられる。すなわち、プリント配線板４７は、図６（Ｂ）に示すように矩形状に形成されており、四隅のうちの対角線上に位置する二偶に、上記したフロントハウジング２６の支柱４２の位置決め用突子４２ａが嵌合する嵌合孔４８，４８が設けられている。プリント配線板４７には、予め決められた部品としてのコネクタ４９が搭載されており、プリント配線板４７はコネクタ４９が目印４５に対応するように位置決め用突子４２ａに嵌合孔４８，４８を嵌合させることにより、カメラ２８がフロントハウジング２６の所定の位置に取り付けられる。
【００２７】
リアハウジング２７は、図５に示すように後部側（矢印Ｂ方向）に半球面状に形成された半球面部５１と、この半球面部５１の前部側（矢印Ａ方向）の開口端に設けられた鍔５２とによって形成されており、鍔５２と上記したフロントハウジング２６の鍔３１とは互いに接合される。半球面部５１の頂部には、同図（Ｄ）に示すように弾性変形可能な舌片５３を介して、リアケース３の上記した四個の係合凹部２０に選択的に係合する係合突起５４が設けられている。半球面部５１の内面には、同図（Ａ）に示すように円周方向に互いに９０°位相がずれた二組の４個ずつの支持突子５５が設けられている。
【００２８】
鍔５２の下部には膨出部５７が設けられ、この膨出部５７には操作部５８が一体に突設されている。鍔５２の周縁部には、図７（Ａ）に示すように光軸２９を中心とする円周方向に等角度（α＝１２０°）おいて、一組の第１の係合手段６０としての複数の係合部からなる三個の弾性係合片６０Ａ，６０Ｂ，６０Ｃが前方（図５（Ｂ）中矢印Ａ方向）に突設されており、これら弾性係合片６０Ａ，６０Ｂ，６０Ｃの先端部には、上記したフロントハウジング２６の係合突起３４Ａないし３４Ｃまたは係合突起３８Ａないし３８Ｃに選択的に係合する爪６１Ａ，６１Ｂ，６１Ｃが設けられている。
【００２９】
次ぎに、このように構成されたインターフォン１を住宅用のドアフォンとして使用する場合について説明する。先ず、カメラ２８が実装されたプリント配線板４７の嵌合孔４８，４８を、図６（Ｂ）に示すようにコネクタ４９が目印４５に対応するように、位置決め用突子４２ａ，４２ａに嵌合させることにより、カメラ２８をフロントハウジング２６に取り付ける。このように、カメラ２８をフロントハウジング２６に取り付けるのに、目印４５が設けられていることにより、カメラ２８の光軸２９周りの回動位置を間違えることがない。
【００３０】
次いで、図７（Ｂ）に示すフロントハウジング２６の第２の係合手段３４（３４Ａ，３４Ｂ，３４Ｃ）に、同図（Ａ）に示すリアハウジング２７の弾性係合片６０Ａ，６０Ｂ，６０Ｃの爪６１Ａ，６１Ｂ，６１Ｃを係合させることにより、図８に示すように互いの鍔３１，５２を対接させた状態で両ハウジング２６，２７が結合され保持部材２５が形成される。このとき、係合突起３４Ａに識別部３５が設けられていることにより、弾性係合片６０Ａを係合させる係合突起を間違いなく、かつ短時間で選択することができる。また、他の係合突起３４Ｂ，３４Ｃの幅Ｌ２に対して係合突起３４Ａの幅Ｌ１を変え、かつ他の弾性係合片６０Ｂ，６０Ｃの幅ｌ２に対して弾性係合片６０Ａの幅ｌ１を変えたことにより、係合突起と弾性係合片との間での係合間違いを防止することができる。
【００３１】
保持部材２５を形成することにより、プリント配線板４７がフロントハウジング２６の支柱４２，４３とリアハウジング２７の支持突子５５とに挟持されるので、カメラ２８は、レンズ（図示せず）がフロントハウジング２６の透孔３２に臨むようにして保持部材２５に保持されカメラユニット４が形成される。
【００３２】
次いで、図３に示すように、カメラユニット４を構成するフロントハウジング２６の透孔３２をフロントケース２の透孔８に一致させるようにして、フロントハウジング２６の半球面部３０をフロントケース２のリブ１３の対接部１３ａに対接させる。この状態で、リアハウジング２７の係合突起５４を四個の係合凹部２０のいずれか一つに係合させるとともに、リアケース３の案内溝１８にリアハウジング２７の操作部５８を臨ませるようにして、リアケース３によってフロントケース２の開口を閉じる。次いで、ねじをリアケース３のスタッド１５のねじ孔を挿通させ、フロントケース２のスタッド（図示せず）に螺合させることにより、フロントケース２とリアケース３とが結合されてインターフォン１が形成される。
【００３３】
このように形成されたインターフォン１においては、図９に示すようにカメラ２８の視野角が鉛直方向に対して水平方向が広くなる。すなわち、カメラ２８による撮影可能範囲が鉛直方向に対して水平方向が広くなり、インターフォン１の正面に立つ人物７０だけでなく、正面以外に立った場合や周囲の人物７０Ａをも撮影することが可能になるから、インターフォンを使用する人が必ずしもインターフォンの正面に立つとは限らない住宅用のドアフォンに使用するのに有効となる。
【００３４】
次ぎに、インターフォン１を鉄道事業用インターフォンとして使用する場合について説明する。この場合は、カメラ２８を取り付けたフロントハウジング２６を、上記した住宅用のドアフォンとして使用する場合から、図７（Ｃ）に示すように、角度β（９０°）だけ光軸２９を中心として反時計方向に回動させる。この状態で、フロントハウジング２６の第３の係合手段３８（３８Ａ，３８Ｂ，３８Ｃ）に、同図（Ａ）に示すリアハウジング２７の弾性係合片６０Ａ，６０Ｂ，６０Ｃの爪６１Ａ，６１Ｂ，６１Ｃを係合させることにより、両ハウジング２６，２７を結合させ保持部材２５を形成する。この後、上記した住宅用のドアフォンのときと同様に、保持部材２５をフロントケース２およびリアケース３内に収容し、両ケース２，３を結合させることにより、インターフォン１が形成される。
【００３５】
このように形成されたインターフォン１においては、上記した住宅用のドアフォンとして使用する場合と比較して、カメラ２８が光軸２９の周りを９０°回動した状態でフロントケース２に支持されているので、図１０（Ａ）に示すようにカメラ２８の視野角が水平方向に対して鉛直方向が広くなる。すなわち、カメラ２８による撮影範囲が水平方向に対して鉛直方向が広くなり、カメラ２８に撮影される人物７０は身体の上下方向全体が撮影されることになり、子供から大人さらには車椅子の使用者までの不特定多数の人に使用されることが予想される駅構内等に設置される鉄道事業用インターフォンにおいて、顔の高さ位置の違いによっても顔を撮影することが可能になる。この場合、カメラ２８によって撮影された人物７０の画像データ７０Ｂは、同図（Ｂ）に示すように、カメラ２８を９０°回動させた分だけ回動した状態で取り込まれるため、インターフォン１に連結されたモニター（図示せず）に表示される人物像は、インターフォン１側またはモニター側に備えられたソフトによって同図（Ａ）に示すような起立した状態となるように修正される。
【００３６】
このように、フロントハウジング２６とリアハウジング２７をカメラ２８の光軸２９を中心として互いに円周方向に０°と９０°回動させた２位置で着脱させる着脱手段６０，３４，３８を設けたことにより、一つの保持部材２５で二つの視野角を選択することができるから、従来のように二種類の保持部材を用意する必要がないので、製造コストを低減することができるとともに、在庫管理を軽減することができる。
【００３７】
なお、本実施の形態においては、リアハウジング２７に一組の第１の係合手段６０を設け、フロントハウジング２６に二組の第２および第３の係合手段３４，３８を設けたが、フロントハウジング２６に一組の係合手段を設け、リアハウジング２７に二組の係合手段を設けるようにしてもよい。また、それぞれの係合手段に三個の係合部を設けたが、必要に応じて二個でも四個以上でもよく、要は一組の第１の係合手段を構成する係合部の数と二組の第２の係合手段を構成する係合部の数とが対応していればよい。
【符号の説明】
【００３８】
１…インターフォン、２…フロントケース、３…リアケース、４…カメラユニット、２５…保持部材、２６…フロントハウジング、２７…リアハウジング、２８…カメラ、２９…光軸、３４（３４Ａ，３４Ｂ，３４Ｃ）…第２の係合手段（着脱手段）、３５，３９…識別部、３８（３８Ａ，３８Ｂ，３８Ｃ）…第３の係合手段（着脱手段）、４５…目印、６０（６０Ａ，６０Ｂ，６０Ｃ）…第１の係合手段（着脱手段）。
【図１】
0005593997.tif 000002
【図２】
0005593997.tif 000003
【図３】
0005593997.tif 000004
【図４】
0005593997.tif 000005
【図５】
0005593997.tif 000006
【図６】
0005593997.tif 000007
【図７】
0005593997.tif 000008
【図８】
0005593997.tif 000009
【図９】
0005593997.tif 000010
【図１０】
0005593997.tif 000011